(57)【特許請求の範囲】
【請求項１】
現金自動入出機又は家庭用金庫の平らに形成された上面と、基板の直下には該現金自動入出機又は家庭用金庫を格納するために設けられた格納室と、該基板には該現金自動入出機又は家庭用金庫を通過させるよう該格納室に連通させて形成される透孔と、該基板における透孔上には該現金自動入出機又は家庭用金庫を該基板上に常時突出させた状態で保持させる保持手段と、底部に設けられる落下させた時の衝撃を緩衝する緩衝部材とを備え、該保持手段の保持機能を解除自在となし、該保持手段の保持機能を解除したときに該現金自動入出機又は家庭用金庫が格納室内に落下して該現金自動入出機又は家庭用金庫の平らな上面が基板の上面と略同一の高さになるようにしたことを特徴とする現金自動入出機又は家庭用金庫の保護装置。
【請求項２】
現金自動入出機又は家庭用金庫を内設する建物と、その建物の平らに形成された上面と、基板の直下には該建物を格納するために設けられた格納室と、該基板には該建物を通過させて該格納室に連通させて形成される透孔と、該基板における透孔上には該建物を該基板上に常時突出させた状態で保持させる保持手段と、底部に設けられる落下させた時の衝撃を緩衝する緩衝部材とを備え、該保持手段の保持機能を解除自在となし、該保持手段の保持機能を解除したときに該建物が現金自動入出機又は家庭用金庫と共に格納室内に落下して該建物の平らな上面が基板の上面と略同一の高さになるようにしたことを特徴とする現金自動入出機又は家庭用金庫の保護装置。
【請求項３】
現金自動入出機又は家庭用金庫の平らに形成された上面と、基板の直下には該現金自動入出機又は家庭用金庫を格納するために設けられた格納室と、該基板には該現金自動入出機を通過させて該格納室に連通させて形成された透孔と、該基板における透孔上には該現金自動入出機又は家庭用金庫を該基板上に常時突出させた状態で保持し、該現金自動入出機又は家庭用金庫を該基板上に突出させた位置と現金自動入出機又は家庭用金庫の平らな上面が基板の上面と略同一の高さになるように該格納室内に格納させた位置との間で昇降させる昇降手段とを備えさせたことを特徴とする現金自動入出機又は家庭用金庫の保護装置。
【請求項４】
現金自動入出機又は家庭用金庫を内設する建物の平らに形成された上面と、基板の直下には該建物を格納するために設けられた格納室と、該基板には該建物を通過させて該格納室に連通させて形成される透孔と、該基板における透孔上には該建物を該基板上に常時突出させた状態で保持し、該建物を該基板上に突出させた位置と該建物の平らな上面が基板の上面と略同一の高さになるように該格納室内に格納させた位置との間で昇降させる昇降手段とを備えさせたことを特徴とする現金自動入出機又は家庭用金庫の保護装置。
【発明の詳細な説明】
【０００１】
【発明の属する技術分野】
本発明は、利用者の操作により現金の入出金取引を行なうことができるＡＴＭ等の現金自動入出機又は家庭用金庫（以下、単に「現金自動入出機」という。）の保護装置に関するものであり、更に詳しくは、現金自動入出機に収納されている現金の盗難を防止するための現金自動入出機の保護装置に係るものである。
【０００２】
【従来の技術】
近年、現金自動入出機は、金融機関の建物内に設置されているのみならず、スーパーマーケット、コンビニエンスストア、鉄道駅、百貨店、宝石店等の内部或いはその近傍に付設された建物内に設置され、更には路傍に設けられた独立の建物内等にも設置されている。
【０００３】
このように種々の場所に多数設置されている現金自動入出機の保護装置としては、特開２００１−３５１１４４号公報及び特開２００２−８０９４号公報に示すものが知られている。
【０００４】
これらの公報に開示されている現金自動入出機の保護装置は、点検扉を含む現金自動入出機の周面を保護壁を有する本体部により取り囲んで点検扉を破壊から保護し、現金の盗難を防止するようにしたものである。
【０００５】
【特許文献1】
特開２００１−３５１１４４号公報（請求項１）
【０００６】
【特許文献1】
特開２００２−８０９４号公報（請求項１）
【０００７】
【発明が解決しようとする課題】
昨今、キャタピラを備えた建物解体装置、掘削装置等の重機を用いて現金自動入出機を破壊し若しくは現金自動入出機を持ち去って該現金自動入出機に収納されている現金を奪うという犯罪が多発している。
【０００８】
しかるに、上記従来の保護装置は、点検扉を含む現金自動入出機の周面を保護壁を有する本体部により取り囲んで点検扉を破壊から保護するに過ぎないものであり、このような保護装置は重機による現金自動入出機の破壊若しくは運搬を想定したものではない。従って、上記従来の保護装置は、キャタピラを備えた建物解体装置、掘削装置等の重機を用いて現金自動入出機を破壊し若しくは現金自動入出機を持ち去って該現金自動入出機に収納されている現金を奪うという犯罪の防止には全く役に立たない。
【０００９】
このような状況に鑑み、本発明は、キャタピラを備えた建物解体装置、掘削装置等の重機を用いて現金自動入出機を破壊し若しくは現金自動入出機を持ち去って該現金自動入出機に収納されている現金を奪うという犯罪から現金自動入出機を確実に保護しようとしてなされたものである。
【００１０】
【課題を解決するための手段】
上記課題を解決するために、本発明は下記の現金自動入出機の保護装置を提供するものである。
【００１１】
（１）現金自動入出機又は家庭用金庫の平らに形成された上面と、基板の直下には該現金自動入出機又は家庭用金庫を格納するために設けられた格納室と、該基板には該現金自動入出機又は家庭用金庫を通過させるよう該格納室に連通させて形成される透孔と、該基板における透孔上には該現金自動入出機又は家庭用金庫を該基板上に常時突出させた状態で保持させる保持手段と、底部に設けられる落下させた時の衝撃を緩衝する緩衝部材とを備え、該保持手段の保持機能を解除自在となし、該保持手段の保持機能を解除したときに該現金自動入出機又は家庭用金庫が格納室内に落下して該現金自動入出機又は家庭用金庫の平らな上面が基板の上面と略同一の高さになるようにしたことを特徴とする現金自動入出機又は家庭用金庫の保護装置（請求項１）。
【００１２】
（２）現金自動入出機又は家庭用金庫を内設する建物と、その建物の平らに形成された上面と、基板の直下には該建物を格納するために設けられた格納室と、該基板には該建物を通過させて該格納室に連通させて形成される透孔と、該基板における透孔上には該建物を該基板上に常時突出させた状態で保持させる保持手段と、底部に設けられる落下させた時の衝撃を緩衝する緩衝部材とを備え、該保持手段の保持機能を解除自在となし、該保持手段の保持機能を解除したときに該建物が現金自動入出機又は家庭用金庫と共に格納室内に落下して該建物の平らな上面が基板の上面と略同一の高さになるようにしたことを特徴とする現金自動入出機又は家庭用金庫の保護装置（請求項２）。
【００１３】
（３）現金自動入出機又は家庭用金庫の平らに形成された上面と、基板の直下には該現金自動入出機又は家庭用金庫を格納するために設けられた格納室と、該基板には該現金自動入出機を通過させて該格納室に連通させて形成された透孔と、該基板における透孔上には該現金自動入出機又は家庭用金庫を該基板上に常時突出させた状態で保持し、該現金自動入出機又は家庭用金庫を該基板上に突出させた位置と現金自動入出機又は家庭用金庫の平らな上面が基板の上面と略同一の高さになるように該格納室内に格納させた位置との間で昇降させる昇降手段とを備えさせたことを特徴とする現金自動入出機又は家庭用金庫の保護装置（請求項３）。
【００１４】
（４）現金自動入出機又は家庭用金庫を内設する建物の平らに形成された上面と、基板の直下には該建物を格納するために設けられた格納室と、該基板には該建物を通過させて該格納室に連通させて形成される透孔と、該基板における透孔上には該建物を該基板上に常時突出させた状態で保持し、該建物を該基板上に突出させた位置と該建物の平らな上面が基板の上面と略同一の高さになるように該格納室内に格納させた位置との間で昇降させる昇降手段とを備えさせたことを特徴とする現金自動入出機又は家庭用金庫の保護装置（請求項４）。
【００１５】
【作用】
［請求項１の発明］
現金自動入出機は、保持手段により、基板上に突出した状態に常時保持されている。
【００１６】
キャタピラを備えた建物解体装置、掘削装置等の重機により現金自動入出機が破壊され若しくは現金自動入出機が持ち去られるおそれがあるときには、例えばセンサにより当該状態を感知させ、該現金自動入出機を基板上に突出させた状態に常時保持する保持手段の保持機能を該センサが発する信号により解除させることにより、該現金自動入出機が格納室内に落下して該現金自動入出機の平らな上面が基板の上面と略同一の高さになる。該現金自動入出機の平らな上面が基板の上面と略同一の高さになったときには、建物解体装置、掘削装置等の重機を用いても現金自動入出機を破壊し若しくは現金自動入出機を持ち去ることはできない。従って、該現金自動入出機内に収納されている現金が奪われることはない。
【００１７】
［請求項２の発明］
現金自動入出機を内設する建物は、保持手段により、基板上に突出した状態に常時保持されている。
【００１８】
キャタピラを備えた建物解体装置、掘削装置等の重機により現金自動入出機が破壊され若しくは現金自動入出機が持ち去られるおそれがあるときには、例えばセンサにより当該状態を感知させ、該現金自動入出機を内設する建物を基板上に突出させた状態に常時保持する保持手段の保持機能を該センサが発する信号により解除させることにより、該建物が現金自動入出機と共に格納室内に落下して該建物の平らな上面が基板の上面と略同一の高さになる。該建物の平らな上面が基板の上面と略同一の高さになったときには、建物解体装置、掘削装置等の重機を用いても現金自動入出機を破壊し若しくは現金自動入出機を持ち去ることはできない。従って、該現金自動入出機内に収納されている現金が奪われることはない。
【００１９】
[請求項３の発明]
現金自動入出機は、基板上に突出した状態に常時保持されている。
【００２０】
現金自動入出機の使用可能時間が終了したとき、又はキャタピラを備えた建物解体装置、掘削装置等の重機により現金自動入出機が破壊され若しくは現金自動入出機が持ち去られるおそれがあるときには、該現金自動入出機を昇降手段により該現金自動入出機の平らな上面が基板の上面と略同一の高さになるように格納室内に格納させた位置まで下降させる。即ち、現金自動入出機の使用可能時間が終了したときには、例えばタイマーにより昇降手段を作動させる。また、キャタピラを備えた建物解体装置、掘削装置等の重機により現金自動入出機が破壊され若しくは現金自動入出機が持ち去られるおそれがあるときには、例えばセンサにより当該状態を感知させ、該センサが発する信号により昇降手段を作動させる。しかるときは、該現金自動入出機の平らな上面が基板の上面と略同一の高さになるため、建物解体装置、掘削装置等の重機を用いても現金自動入出機を破壊し若しくは現金自動入出機を持ち去ることはできない。従って、該現金自動入出機内に収納されている現金が奪われることはない。
【００２１】
現金自動入出機の使用可能時間が再び到来したとき等には、該現金自動入出機を昇降手段により基板上に突出させた位置まで再び上昇させる。
【００２２】
［請求項４の発明］
現金自動入出機を内設する建物は、基板上に突出した状態に常時保持されている。
【００２３】
現金自動入出機の使用可能時間が終了したとき、又はキャタピラを備えた建物解体装置、掘削装置等の重機により現金自動入出機が破壊され若しくは現金自動入出機が持ち去られるおそれがあるときには、該建物を現金自動入出機と共に昇降手段により該建物の平らな上面が基板の上面と略同一の高さになるように格納室内に格納させた位置まで下降させる。昇降手段は、前記請求項３の発明と同様にタイマー又はセンサにより作動させる。しかるときは、該建物の平らな上面が基板の上面と略同一の高さになるため、建物解体装置、掘削装置等の重機を用いても現金自動入出機を破壊し若しくは現金自動入出機を持ち去ることはできない。従って、該現金自動入出機内に収納されている現金が奪われることはない。
【００２４】
現金自動入出機の使用可能時間が再び到来したとき等には、該建物を現金自動入出機と共に昇降手段により基板上に突出させた位置まで再び上昇させる。
【００２５】
【発明の実施の形態】
次に、本発明の実施の形態を添付図面に従って説明する。
【００２６】
符号１に示すものは現金自動入出機である。
【００２７】
現金自動入出機１は、従来の現金自動入出機と同様に、操作手順等を文字、図形等により示すＣＲＴ表示部、紙幣投入口、硬貨投入口、カード挿入口、通帳挿入口、硬貨釣銭受取口等（いずれも図示せず。）を備えている。
【００２８】
図２、図３に示す事例について説明する。
現金自動入出機１の上面を平らに形成する。即ち、一例として現金自動入出機１の上面を鋼板、鉄板等の頑丈且つ平らな板状体１ａにより形成する。
【００２９】
符号３に示すものは基板である。基板３の直下には現金自動入出機１を格納するための格納室５を設ける。基板３は例えば鋼板、鉄板等の頑丈且つ平らな板状体により形成する。
【００３０】
基板３には現金自動入出機１を通過させる透孔７を格納室５に連通させて形成する。
【００３１】
基板３における透孔７上には現金自動入出機１を基板３上に常時突出させた状態で保持手段９により保持させ、該保持手段９の保持機能を解除自在となす。
【００３２】
保持手段９は、一例として、格納室５の側壁より格納室５内に出没するシリンダとする。即ち、該シリンダは格納室５の側壁より格納室５内に突出しているときには現金自動入出機１を基板３上に常時突出させた状態で保持し、該シリンダが格納室５の側壁内に没入したときには現金自動入出機１は格納室５内に落下する。
【００３３】
現金自動入出機１の底部には該現金自動入出機１を格納室５内に落下させたときの衝撃を緩和するためのクッション材、ばね等の緩衝手段１１を備えさせることが望ましい。
【００３４】
保持手段９の保持機能を解除したときに現金自動入出機１が格納室５内に落下して基板３より上方に突出しない状態となるようになす。
【００３５】
図４、図５に示す事例について説明する。
現金自動入出機１を内設する建物（建屋）１３の上面を平らに形成する。即ち、一例として建物１３の上面を鋼板、鉄板等の頑丈且つ平らな板状体１３ａにより形成する。
【００３６】
基板３の直下には建物１３を格納するための格納室５を設け、該基板３には該建物１３を通過させる透孔７を該格納室５に連通させて形成する。
【００３７】
基板３における透孔７上には該建物１３を基板３上に常時突出させた状態で保持手段９により保持させ、該保持手段９の保持機能を解除自在となす。
【００３８】
保持手段９は、一例として、格納室５の側壁より格納室５内に出没する上記と同様のシリンダとする。
【００３９】
建物１３の底部には該建物１３を格納室５内に落下させたときの衝撃を緩和するためのクッション材、ばね等の緩衝手段１１を備えさせることが望ましい。
【００４０】
保持手段９の保持機能を解除したときに建物１３が現金自動入出機１と共に格納室５内に落下して基板３より上方に突出しない状態となるようになす。
【００４１】
図６、図７に示す事例について説明する。
現金自動入出機１の上面を平らに形成し、基板３の直下には該現金自動入出機１を格納するための格納室５を設け、該基板３には該現金自動入出機１を通過させる透孔７を該格納室５に連通させて形成し、基板３における透孔７上には該現金自動入出機１を該基板３上に常時突出させた状態で保持し、更に該現金自動入出機１を基板３上に突出させた位置（図６参照）と該基板３より上方に突出しないように該格納室５内に格納させた位置（図７参照）との間で昇降させる昇降手段１５を備えさせる。現金自動入出機１は該昇降手段１５により該基板３上に常時突出させた状態で保持させてもよいが、該昇降手段１５以外の保持機能解除自在の保持手段により保持させてもよい。
【００４２】
昇降手段１５は、一例として油圧シリンダ１７とする。図６、図７に示す事例においては、油圧シリンダ１５のプランジャ１９は格納室５の底部５ａを上下方向に貫通している。
【００４３】
次に、図８、図９に示す事例について説明する。
現金自動入出機１を内設する建物１３の上面を平らに形成し、基板３の直下には該建物１３を格納するための格納室５を設け、該基板３には該建物１３を通過させる透孔７を該格納室５に連通させて形成し、該基板３における透孔７上には該建物１３を該基板３上に常時突出させた状態で保持し、更に該建物１３を該基板３上に突出させた位置（図８参照）と該基板３より上方に突出しないように該格納室５内に格納させた位置（図９参照）との間で昇降させる昇降手段１５を備えさせる。建物１３は該昇降手段１５により該基板３上に常時突出させた状態で保持させてもよいが、該昇降手段１５以外の保持機能解除自在の保持手段により保持させてもよい。
【００４４】
昇降手段１５は、一例として油圧シリンダ１７とする。図６、図７に示す事例においては、油圧シリンダ１５のプランジャ１９は格納室５の底部５ａを上下方向に貫通している。
【００４５】
図１０は図８、図９に示す事例の変形例を示すものであり、昇降手段１５としてねじ棒２１を回転自在且つ進退不能に上下方向に配設し、該ねじ棒２１をモータ２３により回転させ、該ねじ棒２１にナット２５を回転不能に螺合させ、該ナット２５を建物１３に固定している。この昇降手段１５においては、モータ２３によりねじ棒２１を一定の方向に回転させたときには、該ねじ棒２１に螺合するナット２５は下降し、建物１３を下降させる。モータ２３によりねじ棒２１を反対の方向に回転させたときには、該ねじ棒２１に螺合するナット２５は上昇し、建物１３を上昇させる。
【００４６】
【発明の効果】
以上説明したように、本発明によれば、現金自動入出機若しくは該現金自動入出機を内設する建物を収納室内に落下させ又は昇降手段により下降させて該現金自動入出機若しくは建物の平らな上面が基板の上面と略同一の高さになるようにすることができる。従って、建物解体装置、掘削装置等の重機を用いても現金自動入出機を破壊し若しくは現金自動入出機を持ち去ることはできない。従って、該現金自動入出機内に収納されている現金が奪われることはない。
【図面の簡単な説明】
【図１】本発明による現金自動入出機の保護装置を概略的に示す斜視図である。
【図２】同上装置の一例において、現金自動入出機が基板上に突出した状態を示す断面図である。
【図３】同上例において、現金自動入出機が収納室内に落下した状態を示す断面図である。
【図４】同上装置の別の一例において、現金自動入出機を収納する建物が基板上に突出した状態を示す断面図である。
【図５】同上例において、建物が収納室内に落下した状態を示す断面図である。
【図６】同上装置の更に別の一例において、現金自動入出機が基板上に突出した状態を示す断面図である。
【図７】同上例において、現金自動入出機が収納室内に下降した状態を示す断面図である。
【図８】同上装置の別の一例において、現金自動入出機を収納する建物が基板上に突出した状態を示す断面図である。
【図９】同上例において、建物が収納室内に下降した状態を示す断面図である。
【図１０】同上装置の別の一例において、現金自動入出機を収納する建物が基板上に突出した状態を示す断面図である。
【符号の説明】
１  現金自動入出機
１ａ  板状体
３  基板
５  格納室
５ａ  底部
７  透孔
９  保持手段
１１  緩衝手段
１３  建物
１３ａ  板状体
１５  昇降手段
１７  油圧シリンダ
１９  プランジャ
２１  ねじ棒
２３  モータ
２５  ナット
【図１】
0003621942.tif 000002
【図２】
0003621942.tif 000003
【図３】
0003621942.tif 000004
【図４】
0003621942.tif 000005
【図５】
0003621942.tif 000006
【図６】
0003621942.tif 000007
【図７】
0003621942.tif 000008
【図８】
0003621942.tif 000009
【図９】
0003621942.tif 000010
【図１０】
0003621942.tif 000011